(57)【要約】【課題】低コストで且つ手間も少なく、指の怪我やアクセサリーの損傷等の、手すりによる事故を未然に防止する。【解決手段】手すり支えＬを突出させた手すりＨに適用する手すりカバーにおいて、手すりの長さ方向に沿う第一辺１と、手すりの外周に巻く第二辺２とをもち、裏面に接着面３を設けるカバーシート１０を有し、カバーシート１０における第一辺１に、手すり支えの突出部を逃がす逃がし部４を設けた。手すり支えＬに逃がし部４が位置するようにし、カバーシート１０の第二辺２を手すりＨの外周に巻く。【選択図】図２
2020158968.tif 000002
【特許請求の範囲】
【請求項１】
手すり支えを突出させた手すりに適用する手すりカバーにおいて、
手すりの長さ方向に沿う第一辺と、手すりの外周に巻く第二辺とをもち、裏面に接着面を設けるカバーシートを有し、
前記カバーシートにおける前記第一辺に、手すり支えの突出部を逃がす逃がし部を設けていることを特徴とする手すりカバー。
【請求項２】
前記カバーシートに設ける前記逃がし部の対向側の第一辺に、手すり支えの外面に接着可能な舌片を設けていることを特徴とする請求項１に記載の手すりカバー。
【請求項３】
前記接着面の表面を覆うセパレートシートを、前記逃がし部の奥近傍部分の接着に対応させる特定パートと、他の一又は複数の部分の接着に対応させるその他のパートとに分けていることを特徴とする請求項１又は２に記載の手すりカバー。
【発明の詳細な説明】
【技術分野】
【０００１】
本発明は、駅、地下街、公園等の階段や通路に設置された手すりに適用する手すりカバーに関する。
【背景技術】
【０００２】
従来、特許文献１等により、手すりに沿って滑り止めテープを螺旋状に巻回したものが知られている。
【先行技術文献】
【特許文献】
【０００３】
【特許文献１】特開２０１５−７４９３３号公報
【発明の概要】
【発明が解決しようとする課題】
【０００４】
しかし、手すりに沿ってテープを螺旋状に巻回するものは、特定の施設等で使用する個別の手すりなら兎も角、駅等の不特定多数の人が往来する階段や通路に設置された膨大な数の手すりに適用するには、コスト及び手間が大きく嵩み、不向きである。
【０００５】
この種の手すりにおいて、人間との関係でより重要となるのは、滑り止めよりも、手すりを支えるエルボ管等の受け部分、手すりの継ぎ目部分、点字案内板の取付ビス、点字案内フィルムの端部分等に、指や指輪・時計等のアクセサリー類を引っ掛け、切り傷・突き指・骨折等の怪我を負わせたり、アクセサリー類を損傷させたりする事故を未然に防止することである。特に数十年間前に設置された古いタイプの手すりによる事故を防ぐことが今日的な課題になっている。
【０００６】
本発明は、低コストで且つ手間も少なく、手すりによる事故を未然に防止できる手すりカバーを提供することを課題とする。
【課題を解決するための手段】
【０００７】
上記課題を解決するため、本発明に係る手すりカバーは、次の［構成Ａ］をもつ。括弧内に実施形態の符号を付記する。なお、本発明でいうカバーは、手すりの一部を覆うもので足りる。
［構成Ａ］；
手すり支え（Ｌ）を突出させた手すり（Ｈ）に適用する手すりカバーにおいて、
手すりの長さ方向に沿う第一辺（１）と、手すりの外周に巻く第二辺（２）とをもち、裏面に接着面（３）を設けるカバーシート（１０）を有し、
前記カバーシート（１０）における前記第一辺（１）に、手すり支えの突出部を逃がす逃がし部（４）を設けている。
【０００８】
上記［構成Ａ］に加えて、次の［構成Ｂ］を備えるのが好ましい。
［構成Ｂ］；
前記カバーシート（１０）に設ける前記逃がし部（４）の対向側の第一辺（１１）に、手すり支え（Ｌ）の外面に接着可能な舌片（５）を設けている。
【０００９】
上記［構成Ａ］又は［構成Ｂ］に加えて、次の［構成Ｃ］を備えるのが好ましい。
［構成Ｃ］；
前記接着面（３）の表面を覆うセパレートシート（６）を、前記逃がし部（４）の奥近傍部分の接着に対応させる特定パート（６１）と、他の一又は複数の部分の接着に対応させるその他のパート（６２，６３）とに分けている。
【発明の効果】
【００１０】
本発明の［構成Ａ］によれば、手すり支えにカバーシートの逃がし部が位置するように、カバーシートの第二辺を、手すりの外周に巻く。これにより、手すり支えを挟む手すりの長さ方向において、カバーシートの第一辺の長さに相当する保護面を形成できる。よって、手すり支えの近傍部分において生じる怪我やアクセサリー類の損傷等の事故を未然に防止できる。
【００１１】
本発明の［構成Ｂ］を加えると、舌片を手すり支えの外面に接着することにより、手すり支えの付け根部分を覆うこともでき、手すり支えの付け根部分での事故も防止できる。
【００１２】
本発明の［構成Ｃ］を加えると、セパレートシートの特定パートを剥がすことにより、カバーシートの逃がし部を、手すり支えの突出部に対応した適正位置に位置決めして接着できる。この後、セパレートシートのその他のパートを剥がし、カバーシートを手すりの外周に巻くことにより、比較的簡単かつ綺麗にカバーシートを手すりに接着できる。
【図面の簡単な説明】
【００１３】
【図１】本発明の一実施形態に係る手すりカバーを階段の手すりに装着した斜視図。
【図２】同手すりカバーを手すりに装着する第１工程を示す斜視図。
【図３】同手すりカバーを手すりに装着する第２工程を示す斜視図。
【図４】同手すりカバーを手すりに装着する第３工程を示す斜視図。
【図５】同手すりカバーの各種変形例を示す平面図。
【発明を実施するための形態】
【００１４】
図１に示すように、本発明の一実施形態に係る手すりカバー１００は、駅等の階段Ｓに設置された手すりＨに適用し、往来する人が怪我をしたり、身に着けるアクセサリー類が破損したりする事故を防止する補助具である。
【００１５】
手すりＨは、大人用Ｈ１と子供用Ｈ２を上下に平行に有し、それぞれ、手すり支えＬにより壁Ｗに固定している。手すり支えＬは、手すりＨの下面を受ける板部Ｌ１、その下方に突出する突出部Ｌ２、これに連続して曲がる肘部Ｌ３、壁Ｗへの固定部Ｌ４を一体に有する。板部Ｌ１がなく、突出部Ｌ２を直接手すりＨに溶接するものでもよい。大人用Ｈ１と子供用Ｈ２の手すり支えを、一つの固定部において連結したものでもよい。
【００１６】
階段Ｓの始まり部分に近い大人用Ｈ１の手すりＨの上面には、行き先等を案内する凹凸点字Ｔと読みＫを表示する点字案内板Ａを取付ビスＢにより取り付けている。点字案内板に代え、点字案内フィルムを貼り付けるものでもよい。なお、凹凸点字Ｔは凹凸のみを表現しており、正確な点字を表現していない。なお、図１では、点字案内板Ａを近傍にもつ大人用Ｈ１にのみ手すりカバー１００を適用しているが、他の大人用Ｈ１及び子供用Ｈ２に手すりカバー１００を適用してもよい。
【００１７】
図２に示すように、手すりカバー１００は、手すりＨの長さ方向に沿う第一辺１と、手すりＨの外周に巻く第二辺２とをもつ四角形状のカバーシート１０を有する。４つの角部１ａ，１ｂ，１ｃ，１ｄは円形にしており、ハガレやササクレ等が生じ難くしている。
【００１８】
カバーシート１０は、ＰＶＣ（ポリ塩化ビニル）等の柔軟性のある透明樹脂シート等から成る。厚みは、例えば０．３ｍｍにしている。形は、例えば正方形、大きさは、例えば、外径が３０〜５０ｍｍの手すりＨに適用可能な、１８０×１８０ｍｍにしている。
【００１９】
カバーシート１０は、透明にせず、有色にしたり、蛍光色等の目立つ色にしてもよい。また、無地以外に、模様付きにしたり、注意喚起媒体や広告媒体等に用いてもよい。厚みは、コンマ数ミリ〜１ｍｍ程度の範囲内で変更可能である。形は、正方形に限らず、第一辺１と第二辺２の長さが異なる長方形にしてもよい。大きさは、適用する手すりＨの外径に対応させて、数十ｍｍ〜数百ｍｍ程度の範囲内で変更可能である。
【００２０】
カバーシート１０における第一辺１に、手すり支えＬの突出部Ｌ２を逃がす逃がし部４を奥に切り欠いている。逃がし部４は、一対の直線部４１，４２を半円部４３で結ぶ。直線部４１，４２の始まり部分は円形にカットしている。逃がし部４は、例えば、直線部４１，４２の第一辺１の端からの長さを３０ｍｍ、半円部４３の半径を１５ｍｍ程度とし、外径２５〜３０ｍｍの手すり支えＬの突出部Ｌ２に適用可能にしている。手すり支えＬの突出部Ｌ２の外径等に対応させて、寸法は変更可能である。
【００２１】
カバーシート１０における逃がし部４の対向側の第一辺１１に、手すり支えＬの外面に接着可能な舌片５を一対の切り込み線５１，５２により切り込んでいる。切り込み線５１，５２の間隔は、例えば３０ｍｍ、切り込み長さは４０ｍｍ程度にしている。同じく、手すり支えＬの突出部Ｌ２の外径等に対応させて、寸法は変更可能である。
【００２２】
カバーシート１０の裏面には、粘着層をもつ接着面３を設けている。接着面３は、逃がし部４の奥近傍に位置する第１接着部分３１と、逃がし部４を除くカバーシート１０の外周近傍に沿う第２接着部分３２と、舌片５の各切り込み線５１，５２を挟んで両側に位置する第３接着部分３３，３３とを有する。これら接着部分は、所定幅の両面テープの片面側を予め貼り付けておくことにより形成している。各接着部分、とりわけ第２接着部分３２は、複数の両面テープにより構成してもよい。
【００２３】
接着面３の表面側を覆い、貼り付け時に剥がすセパレートシート６は、逃がし部４の奥近傍部分の接着に対応させる第１接着部分３１を覆う第１パートによる特定パート６１と、他の一又は複数の部分の接着に対応させる第２接着部分３２及び第３接着部分３３を覆う第２パート及び第３パートによるその他のパート６２，６３とに分けている。セパレートシート６の各パートは、接着面３を構成する複数の両面テープに対応して複数としてもよい。
【００２４】
手すりカバー１００を手すりＨに装着するには、先ず、セパレートシート６の特定パート６１を剥がし、カバーシート１０の逃がし部４を、手すり支えＬの突出部Ｌ２の部分に、反壁側（壁Ｗに対面する側）から差し入れる。なお、逃がし部４を突出部Ｌ２に差し入れた後に、特定パート６１を剥がしてもよい。
【００２５】
図３に示すように、カバーシート１０の逃がし部４の半円部４３が突出部Ｌ２の外面に接する位置に位置決めし、この位置で、逃がし部４の奥近傍に位置する第１接着部分３１を、手すりＨの外面、並びに、手すり支えＬの板部Ｌ１の外面に接着する。
【００２６】
この後、セパレートシート６のその他のパートのうち、第２パート６２を逃がし部４の両側から少し剥がし、逃がし部４の両側に位置する第一辺１を手すりＨに真っ直ぐに貼り付ける。こうして、巻き始め側の接着を完了させる。
【００２７】
続いて、残りの第２パート６２及び第３パート６３，６３を剥がしながら、第二辺２，２を平行状態を保ちながら手すりＨの外周に巻いて貼り付け、巻き始め側と対向する対向側の第一辺１１を、舌片５の部分を除き、巻き始め側のカバーシート１０の上に重ねて貼り付ける。
【００２８】
図４に示すように、最後に、舌片５を手すり支えＬの突出部Ｌ２の外面に貼り付ける。これにより、比較的簡単かつ綺麗にカバーシート１０を手すりＨ及び手すり支えＬの一部に装着できる。
【００２９】
以上により、手すりカバー１００のカバーシート１０により、手すりＨと手すり支えＬの板部Ｌ１との境界部分、点字案内板Ａの取付ビスＢの部分、点字案内板Ａの端部分、手すり支えＬの板部Ｌ１と突出部Ｌ２との間の溶接部の一部分等、危険箇所を覆うことができ、指や指輪・時計等のアクセサリー類を危険箇所に引っ掛け、切り傷・突き指・骨折等の怪我を負わせたり、アクセサリー類を損傷させたりする事故を未然に防止できる。
【００３０】
なお、逃がし部４側を、壁Ｗに近い奥側から差し入れてもよい。また、逃がし部４側を巻き始め側としたが、舌片５側を巻き始め側にし、先ず、舌片５を手すり支えＬの突出部Ｌ２の外周に接着し、この後、第二辺２を手すりＨの外周に巻くようにしてもよい。舌片５の見栄え、作業員の癖等に応じて、カバーシート１０の装着手順は変更可能である。
【００３１】
図５［Ａ］の変形例に示すように、カバーシート１０の裏面全体に接着面３を設け、セパレートシート６を、逃がし部４の奥近傍部分の接着に対応させる巻き始め側の約１／３の大きさをもつ第１パートによる特定パート６１と、中間部分の約１／３の大きさをもつ第２パート６２と、巻き終わり側の約１／３の大きさをもつ第３パート６３との３分割構成にしてもよい。第２パート６２を第１パート６１又は第３パート６３に一体にした２分割構成にしてもよい。
【００３２】
図５［Ｂ］の変形例に示すように、舌片５は、手すり支えＬの突出部Ｌ２の外周を一周以上について巻回できるように、切り込み線５３，５４をＬ字形に設けてもよい。
【００３３】
図５［Ｃ］の変形例に示すように、相対向する第一辺１，１１に、手すり支えの突出部を逃がす、逃がし部４と第２逃がし部４０とを、各奥行長が異なるように或は同一になるように設け、舌片５は設けないものにしてもよい。この場合、手すり支えＬの突出部Ｌ２の付け根部分の外周に、別のシート又はテープを貼り付けるのも好ましい。
【００３４】
図５［Ｄ］の変形例に示すように、舌片５は設けず、第二辺２を短めにし、逃がし部４の対向側の第一辺１１が、手すり支えＬの突出部Ｌ２の外面に接するようにしてもよい。セパレートシート６は２分割構成６１，６２にしている。
【００３５】
図５［Ｅ］の変形例に示すように、逃がし部４は設けず、第二辺２を短めにし、舌片５の対向側の第一辺１１が、手すり支えＬの突出部Ｌ２の外面に接するようにしてもよい。セパレートシート６は、舌片５側を特定パート６１とする２分割構成にしている。
【００３６】
図５［Ｆ］の変形例に示すように、舌片５の対向側の第一辺１１に、手すり支えＬの突出部Ｌ２を逃がす逃がし部４を設けてもよい。セパレートシート６は、舌片５側を特定パート６１とする３分割構成にしている。
【００３７】
図５の各種変形例において、セパレートシート６は分割構成にしなくてもよいし、２分割以上の任意の数の分割構成にしてもよい。
【００３８】
本件は、少なくとも、次の［構成Ｄ］、［構成Ｅ］の発明をも包含する。
【００３９】
［構成Ｄ］；
手すり支え（Ｌ）を突出させた手すり（Ｈ）に適用する手すりカバーにおいて、
手すりの長さ方向に沿う第一辺（１）と、手すりの外周に巻く第二辺（２）とをもち、裏面に接着面（３）を設けるカバーシート（１０）を有し、
前記カバーシート（１０）における前記第一辺（１）に、手すり支え（Ｌ）の外面に接着可能な舌片（５）を設けている。
【００４０】
［構成Ｄ］によれば、カバーシートの舌片が手すり支えの外面に接着可能になるように、カバーシートの第二辺を、手すりの外周に巻く。これにより、手すり支えを挟む手すりの長さ方向において、カバーシートの第一辺の長さに相当する保護面を形成できる。よって、手すり支えの近傍部分において生じる怪我やアクセサリー類の損傷等の事故を未然に防止できる。
【００４１】
［構成Ｅ］；
手すり（Ｈ）に適用する手すりカバーにおいて、
手すりの長さ方向に沿う第一辺（１）と、手すりの外周に巻く第二辺（２）とをもち、裏面に接着面（３）を設けるカバーシート（１０）を有し、
前記接着面（３）の表面を覆うセパレートシート（６）を、前記カバーシート（１０）の巻き始め側の部分の接着に対応させる特定パート（６１）と、他の一又は複数の部分の接着に対応させるその他のパート（６２，６３）とに分けている。
【００４２】
［構成Ｅ］によれば、セパレートシートの特定パートを剥がすことにより、カバーシートの巻き始め側の部分を、手すりの適正位置に位置決めして接着できる。この後、セパレートシートのその他のパートを剥がし、カバーシートを手すりの外周に巻くことにより、比較的簡単かつ綺麗にカバーシートを手すりに接着できる。
【符号の説明】
【００４３】
１…第一辺、１１…対向側の第一辺、２…第二辺、１ａ，１ｂ，１ｃ，１ｄ…角部、３…接着面、３１…第１接着面、３２…第２接着面、３３…第３接着面、４…逃がし部、４０…第２逃がし部、４１，４２…直線部、４３…半円部、５…舌片、５１，５２，５３，５４…切り込み線、６…セパレートシート、６１…特定パート（第１パート）、６２…第２パート、６３…第３パート、１０…カバーシート、１００…手すりカバー、Ａ…点字案内板、Ｂ…取付ビス、Ｈ…手すり、Ｈ１…大人用、Ｈ２…子供用、Ｌ…手すり支え、Ｌ１…板部、Ｌ２…突出部、Ｌ３…肘部、Ｌ４…固定部、Ｋ…読み、Ｓ…階段、Ｔ…凹凸点字、Ｗ…壁
【図１】
2020158968.tif 000003
【図２】
2020158968.tif 000004
【図３】
2020158968.tif 000005
【図４】
2020158968.tif 000006
【図５】
2020158968.tif 000007